(57)【要約】      （修正有）【課題】構造が簡単で、全体的体積を減少させ、卓高を自由に調節できる携帯式の麻雀卓の折畳み脚を提供する。【解決手段】携帯式の麻雀卓の折畳み脚は、固定座１と、支持柱２と、支持脚３と、および、ローラ４とを、含み、固定座の直下方に支持柱が固定されており、支持柱の下端外周に、その周方向に沿って配置されるように４個の支持脚が設けられており、支持脚にローラが取付けられている。支持柱の側面に、その周方向に沿って配置されるように４個の折畳み板５が設けられており、折畳み板は、隣り合う２個の支持脚の間に設けられており、折畳み板の下端と支持柱とが、ヒンジ接続されており、折畳み板の上端に踏み板６がヒンジ接続されており、折畳み板の下方に、支持柱に接続される位置限定板７が設けられている。【選択図】図１
0003231179.tif 000002
【実用新案登録請求の範囲】
【請求項１】
携帯式の麻雀卓の折畳み脚であって、
固定座と、支持柱と、支持脚と、および、ローラとを、含み、
前記固定座の直下方に支持柱が固定されており、
前記支持柱の下端外周に、その周方向に沿って配置されるように４個の支持脚が設けられ
ており、
前記支持脚にローラが取付けられており、
前記支持柱の側面に、その周方向に沿って配置されるように４個の折畳み板が設けられて
おり、
前記折畳み板は、隣り合う２個の支持脚の間に設けられており、
前記折畳み板の下端と支持柱とが、ヒンジ接続されており、
前記折畳み板の上端に踏み板がヒンジ接続されており、
前記折畳み板の下方に、支持柱に接続される位置限定板が設けられていることを特徴とす
る、携帯式の麻雀卓の折畳み脚。
【請求項２】
前記固定座は、麻雀卓の卓面に接続されている、ことを特徴とする請求項１に記載の携帯
式の麻雀卓の折畳み脚。
【請求項３】
前記ローラは、ユニバーサル・ホイールとする、ことを特徴とする請求項１に記載の携帯
式の麻雀卓の折畳み脚。
【請求項４】
前記支持柱は円柱体とする、ことを特徴とする請求項１に記載の携帯式の麻雀卓の折畳み
脚。
【請求項５】
前記支持柱は、伸縮可能な構成とするとともに、前記支持柱は、油圧ロードまたは伝動伸
縮ロードである、ことを特徴とする請求項１に記載の携帯式の麻雀卓の折畳み脚。
【請求項６】
前記折畳み板の回動角度は０〜９０度である、ことを特徴とする請求項１に記載の携帯式
の麻雀卓の折畳み脚。
【請求項７】
前記踏み板の回動角は０〜３６０度である、ことを特徴とする請求項１に記載の携帯式の
麻雀卓の折畳み脚。
【考案の詳細な説明】
【技術分野】
【０００１】
本実用新案は、麻雀卓の技術分野に関わり、特に携帯式の麻雀卓の折畳み脚に関わる。
【背景技術】
【０００２】
現状の麻雀卓の折り畳み足は基本的には、滑車、大車台、立柱と固定座から構成されてい
る。体積が大きく、占有空間が多く、機能が単一で、人々の使用需要を満たすことができ
ない。
【考案の概要】
【０００３】
本実用新案は、以下の技術方案を提供する。
携帯式の麻雀卓の折畳み脚は、
固定座と、支持柱と、支持脚と、および、ローラとを、含み、
前記固定座の直下方に支持柱が固定されており、
前記支持柱の下端外周に、その周方向に沿って配置されるように４個の支持脚が設けられ
ており、
前記支持脚にローラが取付けられており、
前記支持柱の側面に、その周方向に沿って配置されるように４個の折畳み板が設けられて
おり、
前記折畳み板は、隣り合う２個の支持脚の間に設けられており、
前記折畳み板の下端と支持柱とが、ヒンジ接続されており、
前記折畳み板の上端に踏み板がヒンジ接続されており、
前記折畳み板の下方に、支持柱に接続される位置限定板が設けられている。
【０００４】
好ましくは、前記固定座は、麻雀卓の机面に接続されている。
【０００５】
好ましくは、前記ローラは、ユニバーサル・ホイールとする。
【０００６】
好ましくは、前記支持柱は円柱体とする。
【０００７】
好ましくは、前記支持柱は、伸縮可能な構成とするとともに、前記支持柱は、油圧ロード
または伝動伸縮ロードである。
【０００８】
好ましくは、前記折畳み板の回動角度は０〜９０度である。
【０００９】
好ましくは、前記踏み板の回動角は０〜３６０度である。
【００１０】
本考案は、設計が合理的で、構造が簡単である。支持柱は円柱とし、４個の支持脚は十字
状を呈することによって、全体的体積を大幅に減少させる。また、柱は、伸縮可能な構造
とすることによって、卓高を自由に調節することができる。そして、折畳み板と踏板を設
置することによって、展開時に足を踏み板に置いてもよく、それで、足を休めることがで
き、一方、収納後、スペースを占めないようにできる。したがって、使用ニーズに応える
ことができ、普及価値が高い。
【図面の簡単な説明】
【００１１】
【図１】本実用新案の全体構成図である。
【図２】本実用新案の局部の構造平面図である。
【００１２】
［符号の説明］
固定座  １、支持柱  ２、支持脚  ３、ローラ  ４、折畳み板  ５、踏み板  ６、位置限
定板  ７
【考案を実施するための形態】
【００１３】
本実用新案の実施形態の目的、技術方案及び利点をより明確にするために、以下、本実用
新案の実施形態における図面とともに、本実用新案の実施形態における技術案を明確かつ
完全に説明する。本実用新案における実施形態に基づいて、当業者が創造的労働を要しな
い前提で取得した他のすべての実施形態は、本実用新案保護の範囲に属する。したがって
、以下の図面に提供する本実用新案の実施形態の詳細な説明は、保護を求める本実用新案
の範囲を制限することを意図しているのではなく、本考案の選択した実施形態のみを示す
ものである。本実用新案における実施形態に基づいて、当業者が創造的労働を要しない前
提で取得した他のすべての実施形態は、本実用新案の保護の範囲に属する。
【００１４】
本実用新案の説明において、用語「中心」、「縦」、「横」、「長さ」、「幅」、「厚み
」、「上」、「下」、「前」、「後」、「左」、「右」、「縦」、「水平」、「頂」、「
底」、「内」、「外」、「時計回り」、「反時計回り」などの方向の指示または位置関係
は、図面に示す方位または位置関係に基づくものであり、本実用新案および簡略化された
説明を説明するためだけに用いられ、指示または暗示される装置または要素が特定の方位
を有し、特定の方位で構成され、動作されなければならないことを意味するのではなく、
本実用新案に対する制限とは理解してはならない。
【００１５】
さらに、「第一」、「第二」という用語は、説明の目的だけに用いられ、相対的な重要性
を示すか、または、指示された技術的特徴を暗黙的に示す数として理解してはならない。
したがって、「第一」、「第二」と限定された特徴は、この特徴を明示的または暗黙的に
含むことができる。本実用新案の説明では、「複数」の意味は、特に具体的な限定がない
限り、2つ以上である。
【００１６】
本実用新案においては、特に明確な規定と限定がない限り、用語「設置」、「接続」、「
連結」、「固定」などの用語は広義的な理解をすべきであり、例えば固定接続であっても
良いし、取り外し可能な接続であっても良いし、一体であっても良いし、機械的接続であ
っても良いし、電気的接続であっても良いし、直接的に接続しても良いし、中間媒体を介
して間接的に接続しても良い。2つの要素の内部の連結または2つの要素の相互作用関係で
あってもよい。上記の用語の本実用新案における具体的な意味は、当業者にとって具体的
な状況に応じて理解され得る。
【００１７】
本実用新案には、特に明確な規定と限定がない限り、第一の特徴は、第二の特徴の「上」
または「下」に第一の特徴と第二の特徴との直接接触を含むことができ、第一の特徴と第
二の特徴は直接的な接触ではなく、それらの間の別の特徴接触を含むこともできる。また
、第1の特徴は、第2の特徴「上」、「上方」、「上面」に第1の特徴が第2の特徴の直上お
よび斜め上にあること、または第1の特徴の高さが第2の特徴よりも高いことを示すだけで
あることを含む。第1の特徴は、第2の特徴「下」、「下方」、および「下面」において、
第2の特徴の直下と斜め下、または第1の特徴の高さが第2の特徴よりも低いことを示すだ
けである。
【００１８】
本実用新案の説明では、用語「上」、「下」、「左」、「右」、「内」、「外」などが示
す方位または位置関係は、図面に示す方位または位置関係に基づいており、本実用新案お
よび簡略化の説明を簡単に説明するためだけに用いられ、特定の方位を有する必要がある
ことを指示または暗示するものではなく、特定の方位構造と操作は、本実用新案に対する
制限とは解釈してはならない。
【００１９】
図１〜２に示すように、携帯式の麻雀卓の折畳み脚は、固定座１と、支持柱２と、支持脚
３と、および、ローラ４とを、含み、前記固定座１の直下方に支持柱２が固定されており
、前記支持柱２の下端外周に、その周方向に沿って配置されるように４個の支持脚３が設
けられており、前記支持脚３にローラ４が取付けられており、前記支持柱３の側面に、そ
の周方向に沿って配置されるように４個の折畳み板５が設けられており、前記折畳み板５
は、隣り合う２個の支持脚３の間に設けられており、前記折畳み板５の下端と支持柱２と
が、ヒンジ接続されており、前記折畳み板５の上端に踏み板６がヒンジ接続されており、
前記折畳み板５の下方に、支持柱２に接続される位置限定板７が設けられている。
【００２０】
好ましくは、前記固定座１は、麻雀卓の机面に接続されている。
【００２１】
好ましくは、前記ローラ４は、ユニバーサル・ホイールとする。
【００２２】
好ましくは、前記支持柱２は円柱体とする。
【００２３】
好ましくは、前記支持柱２は、伸縮可能な構成とするとともに、前記支持柱は、油圧ロー
ドまたは伝動伸縮ロードである。
【００２４】
好ましくは、前記折畳み板５の回動角度は０〜９０度である。
【００２５】
好ましくは、前記踏み板６の回動角は０〜３６０度である。
【００２６】
本考案は、設計が合理的で、構造が簡単である。支持柱は円柱とし、４個の支持脚は十字
状を呈することによって、全体的体積を大幅に減少させる。また、柱は、伸縮可能な構造
とすることによって、卓高を自由に調節することができる。そして、折畳み板と踏板を設
置することによって、展開時に足を踏み板に置いてもよく、それで、足を休めることがで
き、一方、収納後、スペースを占めないようにできる。したがって、使用ニーズに応える
ことができ、普及価値が高い。
【００２７】
本実用新案は、当業者にとって、上記例示的な実施形態の詳細に限定されるものではなく
、本実用新案の精神または基本的特徴から逸脱することなく、他の具体的な形で本実用新
案を実現することができることは明らかである。したがって、いずれの点から見ても、実
施形態を例示的なものと見なし、かつ非限定的なものと見なすべきであり、本実用新案の
範囲は、上記の説明に限定されるものではなく、添付の請求の範囲によって定義されるの
であり、請求項の均等要件の意味及び範囲内に属することを意図される変化を本実用新案
に含めて、請求項のいずれの符号も制限としてはならない。
【００２８】
また、本明細書は実施の形態に従って説明されているが、各実施の形態には一つの独立し
た技術方案のみが含まれるわけではなく、明細書のこのような説明は明確にするためだけ
に、当業者は説明書を一つの全体とし、各実施の形態における他の技術案も適切に組み合
わせて形成することができることを理解されたい。
【図１】
0003231179.tif 000003
【図２】
0003231179.tif 000004